(57)【要約】【課題】本発明は、複数の機能の機能別基本画面を同時に表示させることができるとともに、そのうちの１つの機能別基本画面、または１つの機能別基本画面内の選択項目に応じた１つ下の階層の画面を拡大表示できる電子機器を提供することを目的とする。【解決手段】複数の機能を備え、表示器を有する電子機器において、第２手段は、任意の機能別基本画面の選択項目が全体表示ボタンまでドラッグされた場合に、全ての機能別基本画面を消去し、ドラッグ元の選択項目に応じた１階層下の画面を表示器の表示領域内に拡大表示する。第３手段は、任意の機能別基本画面の選択項目以外の領域が全体表示ボタンまでドラッグされた場合に、ドラッグ元の領域を含む機能別基本画面以外の機能別基本画面を消去し、ドラッグ元の領域を含む機能別基本画面を表示器の表示領域内に拡大表示する。【選択図】図４
2006155596.tif 000002
【特許請求の範囲】
【請求項１】
複数の機能を備え、表示器を有する電子機器であって、
初期画面表示時に、機能毎に用意されかつ選択項目をそれぞれ有する複数の機能別基本画面と、全体表示ボタンとを前記表示器の表示領域内に表示する第１手段と、
前記第１手段によって前記複数の機能別基本画面が表示されている場合において、任意の前記機能別基本画面の選択項目が前記全体表示ボタンまでドラッグされた場合に、全ての前記機能別基本画面を消去し、ドラッグ元の選択項目に応じた１階層下の画面を前記表示器の表示領域内に拡大表示する第２手段と、
前記第１手段によって前記複数の機能別基本画面が表示されている場合において、任意の前記機能別基本画面の選択項目以外の領域が前記全体表示ボタンまでドラッグされた場合に、ドラッグ元の領域を含む前記機能別基本画面以外の前記機能別基本画面を消去し、ドラッグ元の領域を含む前記機能別基本画面を前記表示器の表示領域内に拡大表示する第３手段と、
を備えた電子機器。
【請求項２】
前記第１手段によって前記複数の機能別基本画面が表示されている場合において、任意の前記機能別基本画面の選択項目が他の前記機能別基本画面内にドラッグされたときに、ドラック先の前記他の機能別基本画面内の内容をドラッグ元の前記選択項目に応じた１階層下の画面の内容に切り替えて表示する第４手段をさらに備えた、請求項１に記載の電子機器。
【請求項３】
複数の機能を備え、表示器を有する電子機器において行われる表示制御方法であって、
初期画面表示時に、機能毎に用意されかつ選択項目をそれぞれ有する複数の機能別基本画面と、全体表示ボタンとを前記表示器の表示領域内に表示する第１ステップと、
前記第１ステップにおいて前記複数の機能別基本画面が表示された場合において、任意の前記機能別基本画面の選択項目が前記全体表示ボタンまでドラッグされた場合に、全ての前記機能別基本画面を消去し、ドラッグ元の選択項目に応じた１階層下の画面を前記表示器の表示領域内に拡大表示する第２ステップと、
前記第１ステップにおいて前記複数の機能別基本画面が表示された場合において、任意の前記機能別基本画面の選択項目以外の領域が前記全体表示ボタンまでドラッグされた場合に、ドラッグ元の領域を含む前記機能別基本画面以外の機能別基本画面を消去し、ドラッグ元の領域を含む前記機能別基本画面を前記表示器の表示領域内に拡大表示する第３ステップと、
を含む電子機器の表示制御方法。
【発明の詳細な説明】
【技術分野】
【０００１】
本発明は、電子機器、特に、複数の機能を備え、表示器を有する電子機器に関する。また、本発明は、そのような電子機器の表示制御方法に関する。
【背景技術】
【０００２】
図１は、複写機能、ファクシミリ機能、スキャナ機能、プリンタ機能を備えた、電子機器としての画像形成装置（複合機）において、タッチパネル付きの表示器に表示される初期画面の例を示している。
【０００３】
表示器の表示領域の左側には、各機能を選択するための４つの機能ボタン１０１〜１０４が前後方向に並んで表示されている。これらの機能ボタンの１０１〜１０４の右側には、機能ボタン１０１〜１０４によって選択された機能ボタンに対応する１つの機能別基本画面１０５が表示されている。この例では、複写機能に対応する初期画面が表示されている。
【０００４】
複写機能以外の機能別基本画面を見たい場合には、機能ボタン１０１〜１０４によって、機能を切り替える必要がある。
【０００５】
また、例えば、複写機能に対応する機能別基本画面内の選択項目１０６を操作すると、複写機能に対応する機能別基本画面が選択項目１０６に応じた１階層下の画面に切り替えられる。したがって、複写機能の各選択項目に対応する各階層の画面のうち、一度に１つの画面しか表示されない。しかしながら、異なる階層の画面を同時に見たい場合もある。
【特許文献１】特開平１１−３２８０８１号公報
【特許文献２】特開２００４−２９３５０号公報
【発明の開示】
【発明が解決しようとする課題】
【０００６】
本発明は、複数の機能の機能別基本画面を同時に表示させることができるとともに、そのうちの１つの機能別基本画面、または１つの機能別基本画面内の選択項目に応じた１つ下の階層の画面を拡大表示できる電子機器を提供することを目的とする。
【０００７】
また、本発明は、複数の階層の画面を同時に表示することができる電子機器を提供することを目的とする。
【０００８】
さらに、本発明は、そのような電子機器において行われる表示制御方法を提供することを目的とする。
【課題を解決するための手段】
【０００９】
請求項１に記載の電子機器は、複数の機能を備え、表示器を有する電子機器であって、第１手段と、第２手段と、第３手段とを備えている。第１手段は、初期画面表示時に、機能毎に用意されかつ選択項目をそれぞれ有する複数の機能別基本画面と、全体表示ボタンとを表示器の表示領域内に表示する。第２手段は、第１手段によって複数の機能別基本画面が表示されている場合において、任意の機能別基本画面の選択項目が全体表示ボタンまでドラッグされた場合に、全ての機能別基本画面を消去し、ドラッグ元の選択項目に応じた１階層下の画面を表示器の表示領域内に拡大表示する。第３手段は、第１手段によって複数の機能別基本画面が表示されている場合において、任意の機能別基本画面の選択項目以外の領域が全体表示ボタンまでドラッグされた場合に、ドラッグ元の領域を含む機能別基本画面以外の機能別基本画面を消去し、ドラッグ元の領域を含む機能別基本画面を表示器の表示領域内に拡大表示する。
【００１０】
請求項２に記載の電子機器は、請求項１の電子機器において、第１手段によって複数の機能別基本画面が表示されている場合において、任意の機能別基本画面の選択項目が他の機能別基本画面内にドラッグされたときに、ドラック先の他の機能別基本画面内の内容をドラッグ元の選択項目に応じた１階層下の画面の内容に切り替えて表示する第４手段をさらに備えている。
【００１１】
請求項３に記載の電子機器の表示制御方法は、複数の機能を備え、表示器を有する電子機器において行われる表示制御方法であって、第１ステップと、第２ステップと、第３ステップとを含む。第１ステップでは、初期画面表示時に、機能毎に用意されかつ選択項目をそれぞれ有する複数の機能別基本画面と、全体表示ボタンとを表示器の表示領域内に表示する。第２ステップでは、第１ステップにおいて複数の機能別基本画面が表示された場合において、任意の機能別基本画面の選択項目が全体表示ボタンまでドラッグされた場合に、全ての機能別基本画面を消去し、ドラッグ元の選択項目に応じた１階層下の画面を表示器の表示領域内に拡大表示する。第３ステップでは、第１ステップにおいて複数の機能別基本画面が表示された場合において、任意の機能別基本画面の選択項目以外の領域が全体表示ボタンまでドラッグされた場合に、ドラッグ元の領域を含む機能別基本画面以外の機能別基本画面を消去し、ドラッグ元の領域を含む機能別基本画面を表示器の表示領域内に拡大表示する。
【発明の効果】
【００１２】
本発明によれば、複数の機能の機能別基本画面を同時に表示させることができるとともに、そのうちの１つの機能別基本画面または１つの機能別基本画面内の選択項目に応じた１つ下の階層の画面を拡大表示することができる。
【００１３】
また、本発明によれば、複数の階層の画面を同時に表示することができるようになる。
【発明を実施するための最良の形態】
【００１４】
以下、図面を参照して、本発明を、コピー機能、スキャナ機能、プリンタ機能、ファクシミリ機能を備えた画像形成装置（複合機）２１に適用した場合について説明する。
【００１５】
図２に示すように、複合機２１は、操作表示部に設けられたタッチパネル２付きの表示器１と、制御装置１０と、画像形成部４と、画像読取部５と、他の入出力部とを示している。
【００１６】
表示器１、タッチパネル２及び他の入出力部は、制御装置１０にそれぞれ接続されている。画像形成部４は、操作表示部での設定操作によって設定された条件等に従って画像形成を行うためのものである、画像読取部５は、原稿の画像データを読み取るためのものである。なお、複合機２１は、他の入出力部として、給紙カセットからの用紙を画像形成部等に向けて搬送する用紙搬送機構等をさらに備えている。
【００１７】
制御装置１０は、タッチパネル２からの入力信号等に基づいて、表示器１に表示される画像を制御し、第１手段１０ａ、第２手段１０ｂ、第３手段１０ｃ及び第４手段１０ｄとして機能する。また、制御装置１０は、後述する初期画面、各機能別基本画面及び各選択項目に応じた各層の画面の表示態様等を記憶するとともに、これらの画面を検索、呼出することができる。また、制御装置１０は、画像形成部４、画像読取部５及び他の入出力部の動作の制御も行う。
【００１８】
図３は、表示器１に表示される初期画面１９の例を示している。
【００１９】
表示器１の表示領域内には、コピー機能、スキャナ機能、プリンタ機能、ファクシミリ機能の各機能毎の機能別基本画面１１〜１４と、全体表示ボタン１５とが表示されている。
【００２０】
表示器１の表示領域の右側部を除く領域内に、各機能別基本画面１１〜１４が表示され、表示器１の表示領域の右側部の領域内に全体表示ボタン１５が表示されている。コピー機能に対応する機能別基本画面１１は、表示器１の表示領域の右側部を除く領域（機能別基本画面表示領域）内の左後側に表示され、スキャナ機能に対応する機能別基本画面１２は機能別基本画面表示領域内の右後側に表示され、プリンタ機能に対応する機能別基本画面１３は機能別基本画面表示領域内の左前側に表示され、ファクシミリ機能に対応する機能別基本画面１４は機能別基本画面表示領域内の右前側に表示されている。
【００２１】
各機能別基本画面１１〜１４には、選択項目１１ａ〜１４ａと、選択項目１１ａ〜１４ａ以外の領域１１ｂ〜１４ｂとが表示されている。ユーザは、機能別基本画面１１〜１４のうち、１つの機能別基本画面のみを拡大表示させたい場合には、図４において破線付きの矢印で示すように、その機能別基本画面内の選択項目以外の領域を全体表示ボタン１５内にドラッグすればよい。
【００２２】
以下、図１０のフローチャートを参照しながら、具体的な表示制御について説明する。
【００２３】
例えば、プリンタ機能に対応する機能別基本画面１３を拡大表示させたい場合には、図３の初期画面１９が表示されている状態で（Ｓ１）、タッチパネル２の当該機能別基本画面１３内の選択項目１３ａ以外の領域１３ｂに指を押し当て（Ｓ２）、指をタッチパネル２に押し当てたまま全体表示ボタン１５内まで移動させて（Ｓ３）、指をタッチパネル２から離せばよい（Ｓ４のＹｅｓ）。
【００２４】
そうすると、ステップＳ２で押し下げられた領域が検索され（Ｓ５）、図５に示すように、機能別基本画面１３以外の機能別基本画面１１、１２、１４が消去され、機能別基本画面１３が拡大表示されるとともに（Ｓ６のＮｏ→Ｓ７）、戻るボタン１６が表示される。この戻るボタン１６が押されると、その１つ前に表示されていた画面、つまり図３の初期画面１９に戻る。なお、図５の拡大表示された機能別基本画面１３において選択項目１３ａが押されて選択されると、拡大表示された機能別基本画面１３が、選択された選択項目１３ａに応じた１つ下の階層の画面に切り替わる。この場合には、１つ前の画面に戻るための戻るボタンや、初期画面１９に戻るための終了ボタンも表示される。以下、選択項目が選択される毎に、同様にして画面が切り替わる。
【００２５】
また、１つの機能別基本画面１３内の選択項目１３ａに応じた１つ下の階層の画面を拡大表示させたい場合には、図６に示すように、その機能別基本画面１３内の選択項目１３ａを全体表示ボタン１５内にドラッグすればよい。
【００２６】
例えば、プリンタ機能に対応する機能別基本画面１３内の選択項目１３ａ（例えば、プリントメニュー）に応じた下の階層の画面を拡大表示させたい場合には、図３の初期画面１９が表示されている状態において（Ｓ１）、タッチパネル２の当該機能別基本画面１３内の選択項目１３ａ（この例では、プリントメニュー）に指を押し当て（Ｓ２）、指をタッチパネル２に押し当てたまま全体表示ボタン１５内まで移動させて（Ｓ３）、指をタッチパネル２から離せばよい（Ｓ４のＹｅｓ）。
【００２７】
そうすると、ステップＳ２で押し下げられた領域が検索され（Ｓ５）、図７に示すように、全ての機能別基本画面１１〜１４が消去され、ドラッグされた選択項目（この例では、プリントメニュー）１３ａに応じた１つ下の階層の画面１３ｃが呼び出され（Ｓ６のＹｅｓ→Ｓ８）、拡大表示されるとともに（Ｓ９）、戻るボタン１６が表示される。戻るボタン１６が押されると、その１つ前の画面、つまり図３の初期画面１９に戻る。なお、図７の画面１３ｃ内の選択項目１３ｄが押されて選択されると、図７の画面１３ｃが、選択された選択項目１３ｄに応じた１つ下の階層の画面に切り替えられる。この場合には、１つ前の画面に戻るための戻るボタンや、初期画面１９に戻るための終了ボタンも表示される。以下、選択項目が選択される毎に、同様にして画面が切り替えられる。
【００２８】
さらに、１つの機能別基本画面１３内の選択項目１３ａに応じた１つ下の階層の画面を、他の機能別基本画面１２〜１４のいずれかと切り替えて表示させたい場合には、図３の初期画面１９が表示されている状態において（Ｓ１）、図８に示すように、タッチパネル２の機能別基本画面１３内の選択項目１３ａ（この例では、プリントメニュー）に指を押し当て（Ｓ２）、指をタッチパネル２に押し当てたまま他の機能別基本画面内まで移動させて（Ｓ３）、指をタッチパネル２から離せばよい（Ｓ４のＹｅｓ）。
【００２９】
例えば、スキャン機能に対応する機能別基本画面１２内までドラッグした場合、図９に示すように、スキャン機能に対応する機能別基本画面１２が、ドラッグされた選択項目１３ａ（この例では、プリントメニュー）に対応する１つ下の階層の画面１３ｃが呼び出され、これに切り替えて表示される。また、全体表示ボタン１５の他に、戻るボタン１６が表示される。このようにして、１つの機能に対する複数の階層の画面を同時に見ることができる。図８の画面内の選択項目に応じたさらに１つ下の階層の画面を、同様な操作により、機能別基本画面１１または機能別基本画面１４と切り替えて表示させることも可能である。また、図９に示す画面において、画面１３ｃ内の選択項目１３ｄを、他の機能別基本画面１１，１４のいずれか一方にドラッグすることにより、この選択項目１３ｄの１つ下の階層の画面を、いずれかの画面１１，１４と切り替えて表示させたり、全体表示ボタン１５にドラッグすることにより、この選択項目１３ｄの１つ下の階層の画面を拡大表示させることも可能である。さらに、画面１３ｃ内の２つの選択項目１３ｄをそれぞれ画面１１，１４にドラッグすることにより、各選択項目１３ｄの１つ下の階層の画面を、これらの画面１１，１４とそれぞれ切り替えて同時に表示させることも可能である。
【００３０】
なお、ドラッグ操作としては、指による操作に限定されず、タッチパネルが感知可能な態様であれば、ペン状物等でタッチパネルを押圧して操作も含まれる。また、初期画面は、印刷待機時等の待機状態で表示されても良く、操作表示部において所定の操作を行った場合に表示されても良い。さらに、本発明は、複合機のみでなく、複数の機能を備えかつ表示器を有する電子機器であれば、携帯電話機、カーナビゲーションシステム装置等の他の電子機器にも適用可能であり、複合機に適用した場合と同様な効果が得られる。
【００３１】
例えば、本発明が適用された携帯電話機は、図１１に示すように、携帯電話機４１は、操作表示部に設けられたタッチパネル２付きの表示器１と、制御装置１０と、通信部４４と、他の入出力部とを示している。
【００３２】
表示器１、タッチパネル２、通信部４４及び他の入出力部は、制御装置１０にそれぞれ接続されている。通信部４４は、他の携帯電話機等との間での通話、メール通信等を行う部分である。なお、他の入出力部としては、通話等の際に使用されるスピーカ部及びマイク部等が挙げられる。
【００３３】
制御装置１０は、タッチパネル２からの入力信号等に基づいて、表示器１に表示される画像を制御し、第１手段１０ａ、第２手段１０ｂ、第３手段１０ｃ及び第４手段１０ｄとして機能する。また、制御装置１０は、図１２に示す初期画面、各機能別基本画面及び各選択項目に応じた各層の画面の表示態様等を記憶するとともに、これらの画面を検索、呼出することができる。また、制御装置１０は、通信部４４及び他の入出力部の動作の制御も行う。
【００３４】
図１２に、携帯電話機４４の表示器１に表示される初期画面１１９を示す。この初期画面１１９には、機能別基本画面１１１〜１１４及び全体表示画面１１５が表示されている。機能別基本画面１１１は各種機能に対応し、機能別基本画面１２は各種設定に対応し、機能別基本画面１１３はメール機能に対応し、機能別基本画面１１４は電話帳メニューに対応している。また、各機能別基本画面１１１〜１１４には、選択項目１１１ａ〜１１４ａ及び選択項目１１１ａ〜１１４ａ以外の領域１１１ｂ〜１１４ｂが表示される。制御装置１０には、これらの画面の表示態様等を記憶している。
【００３５】
例えば、本発明が適用されたカーナビゲーションシステム装置５１は、車両に積載されて使用されるとともに、図１３に示すように、操作表示部に設けられたタッチパネル２付きの表示器１と、制御装置１０と、通信部５５と、他の入出力部とを示している。
【００３６】
表示器１、タッチパネル２、通信部５５及び他の入出力部は、制御装置１０にそれぞれ接続されている。通信部５５は、所定の人工衛星から発せられるＧＰＳ（Global Positioning System）データの受信を行うためのものである。なお、他の入出力部としては、数値地図データが格納されたＣＤ−ＲＯＭ等を駆動するためのディスクドライブ装置等が挙げられる。
【００３７】
制御装置１０は、受信したＧＰＳデータを数値地図上に表示するための演算処理等を行うとともに、タッチパネル２からの入力信号等に基づいて、表示器１に表示される画像を制御し、第１手段１０ａ、第２手段１０ｂ、第３手段１０ｃ及び第４手段１０ｄとして機能する。また、制御装置１０は、所定の初期画面、各機能別基本画面及び各選択項目に応じた各層の画面の表示態様等を記憶するとともに、これらの画面を検索、呼出することができる。また、制御装置１０は、通信部５５及び他の入出力部の動作の制御も行う。
【図面の簡単な説明】
【００３８】
【図１】従来の複合機において、タッチパネル付きの表示器に表示される初期画面の例を示す模式図である。
【図２】操作表示部に設けられたタッチパネル付きの表示器を含む複合機を示すブロック図である。
【図３】複合機の表示器１に表示される初期画面の例を示す模式図である。
【図４】プリンタ機能に対応する機能別基本画面１３内の選択項目以外の領域を全体表示ボタン１５内にドラッグさせることを示す模式図である。
【図５】プリンタ機能に対応する機能別基本画面１３内の選択項目以外の領域を全体表示ボタン１５内にドラッグさせた場合に、表示器１に表示される画面の例を示す模式図である。
【図６】プリンタ機能に対応する機能別基本画面１３内の選択項目の領域を全体表示ボタン１５内にドラッグさせることを示す模式図である。
【図７】プリンタ機能に対応する機能別基本画面１３内の選択項目の領域を全体表示ボタン１５内にドラッグさせた場合に、表示器１に表示される画面の例を示す模式図である。
【図８】プリンタ機能に対応する機能別基本画面１３内の選択項目の領域を機能別基本画面１２内にドラッグさせることを示す模式図である。
【図９】プリンタ機能に対応する機能別基本画面１３内の選択項目の領域を機能別基本画面１２内にドラッグさせた場合に、表示器１に表示される画面の例を示す模式図である。
【図１０】複合機の表示器での表示制御を説明するためのフローチャートである。
【図１１】操作表示部に設けられたタッチパネル付きの表示器を含む携帯電話機を示すブロック図である。
【図１２】携帯電話機の表示器１に表示される初期画面の例を示す模式図である。
【図１３】操作表示部に設けられたタッチパネル付きの表示器を含むカーナビゲーションシステムを示すブロック図である。
【符号の説明】
【００３９】
１  表示器
２  タッチパネル
１０  制御装置
【図１】
2006155596.tif 000003
【図２】
2006155596.tif 000004
【図３】
2006155596.tif 000005
【図４】
2006155596.tif 000006
【図５】
2006155596.tif 000007
【図６】
2006155596.tif 000008
【図７】
2006155596.tif 000009
【図８】
2006155596.tif 000010
【図９】
2006155596.tif 000011
【図１０】
2006155596.tif 000012
【図１１】
2006155596.tif 000013
【図１２】
2006155596.tif 000014
【図１３】
2006155596.tif 000015